(57)【要約】【課題】第一検知端子の接触部から容易に異物を除去することができ、嵌合検知機能の信頼性が確保されるコネクタを提供する。【解決手段】基板用コネクタハウジング１０には、検知用端子１５Ａの接点部１６よりも前側（嵌合方向前側）に配され、両コネクタハウジング１０，２０の嵌合途中で短絡用端子２７の接触部３０に摺接可能な摺接部１９が設けられており、この摺接部１９の摺接によって、両コネクタハウジング１０，２０の嵌合途中で接触部３０から異物が除去される。これにより、両コネクタハウジング１０，２０を嵌合させる前の段階でわざわざ異物を除去する手間が不要となる。そして、この異物の除去された接触部３０と検知用端子１５Ａの接点部１６とが接触するから、嵌合検知機能の信頼性が確保される。【選択図】図６
2008027760.tif 000002
【特許請求の範囲】
【請求項１】
互いに嵌合可能な一対のコネクタハウジングと、
前記一対のコネクタハウジングのうち一方のコネクタハウジングに設けられ、両コネクタハウジングの嵌合に伴って弾性撓みするとともに両コネクタハウジングが正規嵌合状態に至ると弾性復帰して両コネクタハウジングを正規嵌合状態にロックするロックアームと、
前記ロックアームの弾性撓みに伴って同ロックアームに押圧されると弾性撓みし、前記ロックアームの弾性復帰に伴ってこの押圧状態が解除されると弾性復帰する第一検知端子と、
前記一対のコネクタハウジングのうち他方のコネクタハウジングに設けられ、前記ロックアームが弾性撓みして前記第一検知端子を押圧している両コネクタハウジングの半嵌合状態においては同第一検知端子に形成された接触部に接触不可能とされるとともに、前記ロックアームが弾性復帰して前記第一検知端子の押圧状態が解除された両コネクタハウジングの正規嵌合状態においては前記接触部に接触可能とされた第二検知端子と、を備え、
前記第一検知端子と前記第二検知端子とが通電しないことにより両コネクタハウジングが半嵌合状態にあることを検知できるとともに前記第一検知端子と前記第二検知端子とが接触して通電することにより両コネクタハウジングが正規嵌合状態にロックされたことを検知可能とされたコネクタであって、
前記他方のコネクタハウジングには、前記第二検知端子における前記接触部と接触可能な接点部よりも前記一方のコネクタハウジングに対する嵌合方向前側に配され、両コネクタハウジングの嵌合途中で前記接触部に摺接可能な摺接部が設けられていることを特徴とするコネクタ。
【請求項２】
前記摺接部は、両コネクタハウジングの嵌合過程において、前記ロックアームが前記第一検知端子を押圧する前の段階で前記接触部に摺接する位置に配置されていることを特徴とする請求項１に記載のコネクタ。
【請求項３】
前記摺接部は、前記第二検知端子の接点部よりも前記接触部側に突出した形状とされていることを特徴とする請求項１または請求項２に記載のコネクタ。
【発明の詳細な説明】
【技術分野】
【０００１】
本発明は、嵌合検知機能を備えたコネクタに関するものである。
【背景技術】
【０００２】
嵌合検知機能を備えたコネクタとして、特許文献１に記載のものが知られている。このコネクタは、互いに嵌合可能な一対のコネクタハウジングを備え、そのうち一方のコネクタハウジングには、両コネクタハウジングの嵌合の過程で下方に弾性撓みし、両コネクタハウジングが正規嵌合状態に至ると弾性復帰して他方のコネクタハウジングに係止するロックアームが設けられている。そして、ロックアームの下方には、両コネクタハウジングの嵌合の際にロックアームに押されることにより下方へ弾性撓みするとともに、ロックアームが弾性復帰して押圧状態が解除されるのに伴って弾性復帰する第一検知端子が設けられている。
【０００３】
他方のコネクタハウジングには、両コネクタハウジングの嵌合の際に一方のコネクタハウジングに差し込まれる第二検知端子が設けられている。この第二検知端子は、ロックアームが第一検知端子を押圧して弾性撓みさせた両コネクタハウジングの半嵌合状態においては、第一検知端子の接触部に接触不可能であるとともに、ロックアームによる押圧状態が解除されて第一検知端子が弾性復帰した両コネクタハウジングの正規嵌合状態においては接触部に接触可能となるよう設定されている。
【０００４】
そして、第二検知端子が第一検知端子に接触しないことにより、両コネクタハウジングが半嵌合状態にあることを検知でき、また第二検知端子が第一検知端子に接触して通電することにより、両コネクタハウジングが正規の嵌合状態にあることを検知できる。
【特許文献１】特開平１０−４１０１８号公報
【発明の開示】
【発明が解決しようとする課題】
【０００５】
しかしながら、上記した第一検知端子の表面はプレス加工時のオイルが付着して異物がくっつきやすい状態となっているため、接触部に異物が付着したまま両コネクタハウジングの嵌合を行ってしまうおそれがある。すると、第二検知端子が接触部に接触した際にその異物が通電の邪魔になるため、両コネクタハウジングが正規嵌合状態に至っていてもそれを検知することができなくなり、嵌合検知機能の信頼性が低下してしまう。このような事態を回避するためには、両コネクタハウジングを嵌合させる前に接触部から異物を除去するようにすればよいけれど、そのような異物の除去作業は非常に手間がかかり煩わしいという問題があった。
【０００６】
本発明は上記のような事情に基づいて完成されたものであって、第一検知端子の接触部から容易に異物を除去することができ、嵌合検知機能の信頼性が確保されるコネクタを提供することを目的とする。
【課題を解決するための手段】
【０００７】
上記の目的を達成するための手段として、請求項１の発明は、互いに嵌合可能な一対のコネクタハウジングと、前記一対のコネクタハウジングのうち一方のコネクタハウジングに設けられ、両コネクタハウジングの嵌合に伴って弾性撓みするとともに両コネクタハウジングが正規嵌合状態に至ると弾性復帰して両コネクタハウジングを正規嵌合状態にロックするロックアームと、前記ロックアームの弾性撓みに伴って同ロックアームに押圧されると弾性撓みし、前記ロックアームの弾性復帰に伴ってこの押圧状態が解除されると弾性復帰する第一検知端子と、前記一対のコネクタハウジングのうち他方のコネクタハウジングに設けられ、前記ロックアームが弾性撓みして前記第一検知端子を押圧している両コネクタハウジングの半嵌合状態においては同第一検知端子に形成された接触部に接触不可能とされるとともに、前記ロックアームが弾性復帰して前記第一検知端子の押圧状態が解除された両コネクタハウジングの正規嵌合状態においては前記接触部に接触可能とされた第二検知端子と、を備え、前記第一検知端子と前記第二検知端子とが通電しないことにより両コネクタハウジングが半嵌合状態にあることを検知できるとともに前記第一検知端子と前記第二検知端子とが接触して通電することにより両コネクタハウジングが正規嵌合状態にロックされたことを検知可能とされたコネクタであって、前記他方のコネクタハウジングには、前記第二検知端子における前記接触部と接触可能な接点部よりも前記一方のコネクタハウジングに対する嵌合方向前側に配され、両コネクタハウジングの嵌合途中で前記接触部に摺接可能な摺接部が設けられているところに特徴を有する。
【０００８】
請求項２の発明は、請求項１に記載のものにおいて、前記摺接部は、両コネクタハウジングの嵌合過程において、前記ロックアームが前記第一検知端子を押圧する前の段階で前記接触部に摺接する位置に配置されているところに特徴を有する。
【０００９】
請求項３の発明は、請求項１または請求項２に記載のものにおいて、前記摺接部は、前記第二検知端子の接点部よりも前記接触部側に突出した形状とされているところに特徴を有する。
【発明の効果】
【００１０】
＜請求項１の発明＞
他方のコネクタハウジングには、第二検知端子における接点部よりも嵌合方向前側に配され、両コネクタハウジングの嵌合途中で第一検知端子の接触部に摺接可能な摺接部が設けられているので、この摺接部の摺接によって、両コネクタハウジングの嵌合途中で接触部から異物が除去される。これにより、両コネクタハウジングを嵌合させる前の段階でわざわざ異物を除去する手間が不要となる。そして、この異物の除去された接触部と第二検知端子の接点部とが接触するから、嵌合検知機能の信頼性が確保される。したがって、第一検知端子の接触部から容易に異物を除去することができ、嵌合検知機能の信頼性が確保される。
【００１１】
＜請求項２の発明＞
摺接部は、ロックアームが第一検知端子を押圧して撓ませる前の段階で接触部に摺接するので、摺接部の摺接が確実に行われる。したがって、より確実に異物の除去が行われ、嵌合検知機能の信頼性が確実に確保される。
【００１２】
＜請求項３発明＞
摺接部は、第二検知端子よりも接触部側に突出した形状とされているので、接触部が摺接部に接触することなく先に第二検知端子に接触してしまうことが防止される。
【発明を実施するための最良の形態】
【００１３】
以下、本発明の実施形態を図１〜図８によって説明する。
本実施形態のコネクタは、基板に接続される基板用コネクタハウジング１０（本発明における他方のコネクタハウジングに該当する）と、この基板用コネクタハウジング１０に嵌合可能な雌コネクタハウジング２０（本発明における一方のコネクタハウジングに該当する）とを備えている。以下、各構成部材において、両コネクタハウジング１０，２０における嵌合面側を前方とし、また、図１の上側を上方、下側を下方として説明する。
【００１４】
基板用コネクタハウジング１０は、前面が開口したフード部１１を備え、このフード部１１内は、図２に示すように、幅方向に一対の隔壁１２が設けられることにより３つに分割されている。各分割ハウジング１３には、それぞれ別体の雌コネクタハウジング２０が嵌合される。
【００１５】
そして、フード部１１の天井壁１１Ａには、雌コネクタハウジング２０のロックアーム２２と係合可能な係合部１４が、各分割ハウジング１３毎に下方へ向けて突設されている。各係合部１４の下面における略前半部分は、図１に示すように、後方へ向かって徐々に下がる傾斜をなす傾斜面１４Ａ、略後半部分は天井壁１１Ａに対してほぼ水平をなす水平面１４Ｂとされている。
【００１６】
基板用コネクタハウジング１０には、Ｌ字形に屈曲された複数のターミナル１５がその先端部をフード部１１内に突出させた状態で取り付けられている。これらのターミナル１５のうち各分割ハウジング１３において最上部に位置する２本のターミナル１５は、後述する雌コネクタハウジング２０の短絡用端子２７（本発明における第一検知端子に該当する）に接触可能な検知用端子１５Ａ（本発明における第二検知端子に該当する）とされている。なお、この検知用端子１５Ａを除いた他のターミナル１５は、雌コネクタハウジング２０に備えられた雌端子金具２１と接続可能な雄端子１５Ｂとされている。
【００１７】
各分割ハウジング１３毎に一対ずつ備えられた検知用端子１５Ａは、フード部１１内においてその前後方向ほぼ中間位置よりも前方位置まで突出しており、その突出端は、雄端子１５Ｂの突出端よりも前側に位置している。各検知用端子１５Ａの下面における先端部（雄端子１５Ｂよりも前方に突出した部分）は、後述する短絡用端子２７の接触部３０に接触可能な接点部１６とされている。
【００１８】
一対の検知用端子１５Ａの上側には、それぞれ補強リブ１７が設けられている。補強リブ１７は、検知用端子１５Ａよりも前方に張出す形態をなし、図２に示すように、両検知用端子１５Ａの上面に沿う平板部１７Ａと、平板部１７Ａの下面に垂下された３つの下壁部１７Ｂと、平板部１７Ａの上面に立設された３つの上壁部１７Ｃとを備えている。上壁部１７Ｃおよび下壁部１７Ｂは、それぞれ平板部１７Ａの前後方向にわたって設けられている。
【００１９】
下壁部１７Ｂは、一対の検知用端子１５Ａの間と両外側とに配され、その下面は検知用端子１５Ａの下面よりも下側に突出している。そして、一対の検知用端子１５Ａの間に配された下壁部１７Ｂは、両検知用端子１５Ａの間を仕切っており、両外側に配された下壁部１７Ｂは、両検知用端子１５Ａの側方を覆っている。
【００２０】
上壁部１７Ｃは、３つの下壁部１７Ｂに対応した位置にそれぞれ配されている。各上壁部１７Ｃの上面における略前半部分は、前方へ向かって徐々に下がる傾斜をなしており、ロックアーム２２の十分な弾性撓みを許容する逃し部１８とされている。そして、上壁部１７Ｃの略後半部分は前後にわたってほぼ等しい高さ寸法とされ、フード部１１の天井壁１１Ａと上壁部１７Ｃとの間の間隔は、前端から中央位置にかけて徐々に狭くなり、そこから後端にかけてはほぼ一定とされている。
【００２１】
各検知用端子１５Ａは、補強リブ１７の下面に沿うようにして基板用コネクタハウジング１０に差し込まれるから、上方に反ってしまうことが防止される。そして、３つの上壁部１７Ｃおよび下壁部１７Ｂによって補強リブ１７自体の剛性が高められているから、検知用端子１５Ａが反ろうとする力によって補強リブ１７が上方に撓んでしまうことはない。また、摺接部１９は、上下に振れることなく所定位置に保持される。
【００２２】
各分割ハウジング１３に嵌合される雌コネクタハウジング２０は、それぞれほぼ同じ構造とされている。なお、図中には、中央の分割ハウジング１３に嵌合可能な雌コネクタハウジング２０を示した。
各雌コネクタハウジング２０は、各分割ハウジング１３に嵌合可能なブロック状をなし、雄端子１５Ｂに接続可能な雌端子金具２１が挿抜可能とされている。
【００２３】
各雌コネクタハウジング２０には、それぞれ基板用コネクタハウジング１０と嵌合に伴って弾性撓みするとともに両コネクタハウジング１０，２０が正規嵌合状態に至ると弾性復帰して両コネクタハウジング１０，２０を正規嵌合状態にロックするロックアーム２２が備えられている。各ロックアーム２２は、図１に示すように、各雌コネクタハウジング２０の前端面における上縁から後方へ折り返された片持ち状をなして延出している。
【００２４】
各ロックアーム２２の上面における幅方向ほぼ中央部には、上面を下方に凹ませた凹み部２３が前後方向にわたって形成されている。この凹み部２３は、フード部１１の係合部１４が通過可能な幅寸法を備えており、その後端寄り位置には、フード部１１の係合部１４と係合可能な突起部２４が上方に向けて突設されている。各突起部２４の前面は、緩やかな傾斜をなす乗上げ面２４Ａとされている。
【００２５】
ロックアーム２２の下面における後端部（突起部２４より後側の部分）は、ロックアーム２２が下方へ弾性撓みすると後述する短絡用端子２７を押し下げる押圧面２２Ａとされている。
【００２６】
なお、ロックアーム２２の後端部には操作部２５が設けられており、両コネクタハウジング１０，２０を離脱させる際には、この操作部２５を押圧操作することによりロックアーム２２を下方へ弾性撓みさせ、突起部２４と係合部１４との係合を解除し、ロックの解除を行う。
【００２７】
そして、各ロックアーム２２の下方には、それぞれ短絡用端子２７を収容可能な端子収容部２６が設けられている。各端子収容部２６の床面は平坦状に形成されている。
【００２８】
各端子収容部２６に収容される短絡用端子２７は、それぞれ所定の形状に打ち抜いた導電性の金属板に曲げ加工を施すことによって成形され、図１および図５に示すように、平坦な板状をなすベース部２８と、このベース部２８の前端部から後方へ延出する一対の弾性接触片２９とを備えている。各短絡用端子２７は、ベース部２８によって安定した姿勢で各端子収容部２６に収容される。
【００２９】
ベース部２８の後端部には、その左右両側縁および後縁からベース部２８に対してほぼ垂直に立ち上がる保護壁２８Ａが設けられている。保護壁２８Ａは、全体として弾性接触片２９の後方を覆う形状をなし、雌コネクタハウジング２０の後側の開口から弾性接触片２９側へ異物が侵入し難くされている。
【００３０】
一対の弾性接触片２９は、それぞれ後端が自由端となった片持ち状をなし、その前後方向中間部は、後方に向かって徐々に上る傾斜をなす傾斜部２９Ａとされ、傾斜部２９Ａよりも後側の部分は、ベース部２８に対してほぼ水平をなす水平部２９Ｂとされている。各自由端部（各水平部２９Ｂの後端部）には、三角形状に屈曲されて上方へ立ち上がる被押圧部２９Ｃが形成されている。被押圧部２９Ｃは、そのほぼ全体が保護壁２８Ａの上方に突出する高さに設けられ、ロックアーム２２の押圧面２２Ａに押圧されると保護壁２８Ａ内に隠れるようになっている。
【００３１】
各弾性接触片２９における傾斜部２９Ａと水平部２９Ｂとの境目の部分には、それぞれ接触部３０が設けられている。各接触部３０は、各弾性接触片２９における幅方向ほぼ中央部に形成され、ドーム状に盛り上がった突起状をなしている。
【００３２】
さて、基板用コネクタハウジング１０の補強リブ１７の先端部には、両コネクタハウジング１０，２０の嵌合途中で接触部３０に摺接可能な摺接部１９が設けられている。各摺接部１９は、検知用端子１５Ａの突出端の直前位置（接点部１６よりも前方の直近位置）に配されている。摺接部１９は、平板部１７Ａの下面から下壁部１７Ｂの突出寸法とほぼ同じ突出寸法を備えて下方へ突設され、検知用端子１５Ａの接点部１６より下側（接触部３０側）へ突出している。また、各摺接部１９は、平板部１７Ａの前端縁の全幅にわたって形成され、下壁部１７Ｂの前端部を幅方向に連結し、接点部１６の前方を覆っている。
【００３３】
各摺接部１９の下面は、各接触部３０と摺接可能な摺接面１９Ａとされ、この摺接面１９Ａは、接点部１６の下面よりも下側に配されている。各摺接面１９Ａは、補強リブ１７の延出方向（両コネクタハウジング１０，２０の嵌合方向と平行な方向）とほぼ平行をなしている。また、各摺接部１９における前端下縁部は、丸みが付けられた丸み部１９Ｂとされている。
【００３４】
なお、各摺接部１９の摺接面１９Ａの高さ位置は、両コネクタハウジング１０，２０を嵌合する際に、雌コネクタハウジング２０に収容されて自然状態にある各短絡用端子２７の弾性接触片２９における傾斜部２９Ａの前後方向ほぼ中央位置、すなわち接触部３０よりも少し低い位置に対応する高さ位置とされている。
【００３５】
次に、上記のように構成された本実施形態の作用および効果について説明する。
各雌コネクタハウジング２０をそれぞれ基板用コネクタハウジング１０の各分割ハウジング１３に嵌合させる。雌コネクタハウジング２０を対応する分割ハウジング１３に位置合わせしつつ徐々に押し込むと、ロックアーム２２はフード部１１の天井壁１１Ａに沿って進入し、フード部１１の係合部１４はロックアーム２２の凹み部２３を通過していく。そして、短絡用端子２７の弾性接触片２９における前後方向ほぼ中央部（傾斜部２９Ａにおける前後方向中央部）が摺接部１９の丸み部１９Ｂに当接し、さらに雌コネクタハウジング２０が押し込まれるのに伴って弾性接触片２９が摺接部１９に押圧されて下方へ弾性撓みする。
【００３６】
そして、図６に示すように、ロックアーム２２の前端部が補強リブ１７における上壁部１７Ｃの逃し部１８を越えると、突起部２４の乗上げ面２４Ａが係合部１４の傾斜面１４Ａに当接して徐々に乗り上げ、ロックアーム２２が若干下方へ弾性撓みする。また、摺接部１９の丸み部１９Ｂは、各弾性接触片２９における前後方向ほぼ中央部（傾斜部２９Ａのほぼ中央部）から接触部３０に到達するまで各弾性接触片２９の表面に摺接する。このとき、ロックアーム２２は若干撓んではいるものの、その押圧面２２Ａと短絡用端子２７の被押圧部２９Ｃとの間には隙間が空いている。すなわち、弾性接触片２９は、ロックアーム２２に押圧される前の段階で摺接部１９のみに押圧された状態となっている。
【００３７】
さらに嵌合が進むと、摺接部１９に到達した接触部３０は、その表面を摺接面１９Ａに摺接させながら摺接面１９Ａにおける前縁から後縁に向かって進む。このとき、雌コネクタハウジング２０の後側の開口と短絡用端子２７の保護壁２８Ａとの間のわずかな隙間等から異物が侵入し、その異物が弾性接触片２９の接触部３０に付着していた場合には、異物が摺接面１９Ａに擦り取られる。こうして、接触部３０の表面が摺接面１９Ａによって前側から後側にかけて掃除され、接触部３０の表面から異物が除去される。また、ロックアーム２２の撓み量は徐々に増加し、突起部２４は傾斜面１４Ａを通過して水平面１４Ｂに到達する。
【００３８】
そして、接触部３０が摺接面１９Ａを通り過ぎると、摺接面１９Ａと検知用端子１５Ａの下面（接点部１６）との高低差による段差分だけ弾性接触片２９が弾性復帰しようとする。ここで、ロックアーム２２は、図７に示すように、突起部２４が係合部１４に乗り上げて弾性撓みしており、弾性接触片２９がわずかに弾性復帰したところで被押圧部２９Ｃの天端が押圧面２２Ａに当接する。そして、弾性接触片２９は、ロックアーム２２に押圧された状態となって、それ以上復帰できないため、接触部３０は接点部１６に到達することなく離れた状態で留まる。こうして、ロックアーム２２が弾性撓みしている両コネクタハウジング１０，２０の半嵌合状態においては、検知用端子１５Ａの接点部１６と接触部３０とが接触しないようにされている。
【００３９】
そして、突起部２４が係合部１４を乗り越えると、図８に示すように、ロックアーム２２が弾性復帰して突起部２４が係合部１４に係合し、両コネクタハウジング１０，２０が正規嵌合状態に至ってロックされる。また、弾性接触片２９は、ロックアーム２２による押圧状態が解除されて弾性復帰し、異物の除去された接触部３０が検知用端子１５Ａの接点部１６に接触した状態となる。こうして、ロックアーム２２が弾性復帰している両コネクタハウジング１０，２０の正規嵌合状態においては、検知用端子１５Ａの接点部１６と接触部３０とが接触するようになっている。
【００４０】
かくして、両コネクタハウジング１０，２０の半嵌合状態においては、短絡用端子２７の接触部３０が検知用端子１５Ａの接点部１６に接触しないから検知用端子１５Ａは短絡されず、これにより両コネクタハウジング１０，２０が半嵌合状態であることが判る。また、両コネクタハウジング１０，２０の正規嵌合状態においては、接触部３０が接点部１６に接触して検知用端子１５Ａが短絡され、これにより両コネクタハウジング１０，２０が正規嵌合状態にあることが判る。
【００４１】
以上説明したように本実施形態によれば、基板用コネクタハウジング１０には、検知用端子１５Ａの接点部１６よりも前側（嵌合方向前側）に配され、両コネクタハウジング１０，２０の嵌合途中で短絡用端子２７の接触部３０に摺接可能な摺接部１９が設けられているので、この摺接部１９の摺接によって、両コネクタハウジング１０，２０の嵌合途中で接触部３０から異物が除去される。これにより、両コネクタハウジング１０，２０を嵌合させる前の段階でわざわざ異物を除去する手間が不要となる。そして、この異物の除去された接触部３０が検知用端子１５Ａの接点部１６に接触するから、嵌合検知機能の信頼性が確保される。したがって、短絡用端子２７の接触部３０から容易に異物を除去することができ、嵌合検知機能の信頼性が確保される。
【００４２】
そして、摺接部１９は、ロックアーム２２が短絡用端子２７を押圧する前の段階で接触部３０に摺接するので、摺接部１９の摺接が確実に行われる。
さらに、摺接部１９は、検知用端子１５Ａの接点部１６よりも下側（接触部３０側）に突出した形状とされているので、接触部３０が摺接部１９に接触しないで先に接点部１６に接触してしまうことが防止される。
【００４３】
＜他の実施形態＞
本発明は上記記述及び図面によって説明した実施形態に限定されるものではなく、例えば次のような実施態様も本発明の技術的範囲に含まれる。
【００４４】
（１）上記実施形態では、摺接部１９は、ロックアーム２２が短絡用端子２７を押圧する前の段階で接触部３０に摺接するようになっているが、本発明によれば、摺接部が検知用端子の接点部よりも先に接触部に摺接可能であればよく、短絡用端子がロックアームに押圧されて若干変位した段階で接触部に摺接するようになっていてもよい。
【００４５】
（２）上記実施形態では、摺接部１９は、検知用端子１５Ａの接点部１６の直前位置に設けられているが、本発明によれば、接点部から前方に離れた位置に設けられてもよい。
【００４６】
（３）上記実施形態では、摺接部１９は、補強リブ１７の先端部に設けられているが、本発明によれば、補強リブとは別に、摺接部を備えた部材を設けるようにしてもよい。
【００４７】
（４）上記実施形態では、摺接部１９は、検知用端子１５Ａの接点部１６より接触部３０側（下側）へ突出した形状をなしているが、本発明によれば、摺接部は必ずしも接点部より突出していなくてもよく、つまり摺接面と接点部との高さがほぼ等しくされていてもよい。
（５）上記実施形態では、ロックアーム２２は片持ち状をなしているが、本発明は、シーソー状をなすロックアームにも適用可能である。
【００４８】
（６）上記実施形態では、摺接面１９Ａが接触部３０に摺接するようになっているが、この摺接面に金属板を張り付けてもよく、また摺接部自体を金属製のブロック等によって形成してもよい。これにより、金属面が接触部の表面に摺接し、いわゆるワイピング効果が得られて酸化皮膜等を除去することができ、接触部を良好な接触状態にすることができる。
【図面の簡単な説明】
【００４９】
【図１】本実施形態における基板用コネクタハウジングおよび雌コネクタハウジングの嵌合前の状態を表す側断面図
【図２】基板用コネクタハウジングの正面図
【図３】雌コネクタハウジングの正面図
【図４】雌コネクタハウジングの背面図
【図５】短絡用端子の斜視図
【図６】摺接部が接触部に摺接する様子を表す側断面図
【図７】両コネクタハウジングの半嵌合状態を表す側断面図
【図８】両コネクタハウジングの正規嵌合状態を表す側断面図
【符号の説明】
【００５０】
１０…基板用コネクタハウジング（他方のコネクタハウジング）
１５Ａ…検知用端子（第二検知端子）
１６…接点部
１９…摺接部
２０…雌コネクタハウジング（一方のコネクタハウジング）
２２…ロックアーム
２７…短絡用端子（第一検知端子）
３０…接触部
【図１】
2008027760.tif 000003
【図２】
2008027760.tif 000004
【図３】
2008027760.tif 000005
【図４】
2008027760.tif 000006
【図５】
2008027760.tif 000007
【図６】
2008027760.tif 000008
【図７】
2008027760.tif 000009
【図８】
2008027760.tif 000010